【事件の表示】
　平成１１年特許願第　６３８８９号「遊戯台」拒絶査定不服審判事件〔平成１２年１０月１７日出願公開、特開２０００−２８８１５９〕について、次のとおり審決する。
【結　論】
　本件審判の請求は、成り立たない。
【理　由】
 １．手続の経緯
　本願は、平成１１年３月１０日（優先権主張平成１１年２月５日）の出願であって、平成１３年４月６日付けで拒絶査定がなされ、これに対し、同年５月１４日に拒絶査定に対する審判請求がなされるとともに、同年１３年６月１２日付けで手続補正がなされたものである。
　
２．平成１３年６月１２日付けの手続補正についての補正却下の決定
［補正却下の決定の結論］
　平成１３年６月１２日付けの手続補正（以下、「本件補正」という。）を却下する。
［理由］
　本件補正により、特許請求の範囲の請求項１は、次のとおりに補正された。
「【請求項１】複数種類の絵柄がおもてに配置された回転可能なリールを複数個備え、前記絵柄を絵柄表示窓上で停止させ、前記リールの停止時における前記絵柄表示窓上の絵柄の組み合わせから入賞を定め、所定数のメダルまたは玉を払い戻す遊戯台であって、
　フリッカ表示ランプにＬＥＤのドットマトリックスにより構成される表示部を備え、
　前記フリッカ表示ランプ上に、ビッグ・ボーナスあるいはレギュラー・ボーナスのゲーム中であること、あるいは遊戯台の機種名、あるいは入賞役の名称、あるいは内部抽選結果、あるいは遊戯台の機械割り、あるいはエラー情報、あるいはエラー発生部位、あるいは故障情報、あるいは故障発生部位、の中の少なくとも１つを示す文字またはパターンを表示し、
　表示中の当該文字またはパターンを、前記ＬＥＤの輝度を変化させて表示することを特徴とする遊戯台。」（以下、「本願補正発明」という。）。
　
　本願補正発明の上記構成のうち、「
表示中の
　ところが、願書に最初に添付した明細書又は図面、とくに、段落【０００６】、【００２１】、【００４８】、【００５５】、【００５６】、【００６０】の記載をみると、ゲームを行っていない状態では表示ランプの文字やパターンの輝度を抑え、ＢＢに入賞した状態では表示ランプの文字やパターンの輝度を高輝度にしたことは、記載されているが、「
表示中の
　したがって、本件補正は、特許法第１７条の２第３項の規定に違反するものであり、特許法第１５９条第１項において読み替えて準用する特許法第５３条第１項の規定により却下されるべきものである。
　
３．本願発明について
　平成１３年６月１２日付けの手続補正は上記のとおり却下されたので、本願の請求項１ないし３に係る発明のうち、請求項１に係る発明（以下、本願発明という。）は、平成１２年９月６日付け手続補正書の特許請求の範囲の請求項１に記載された事項により特定される、以下のとおりのものである。　　
「【請求項１】複数種類の絵柄がおもてに配置された回転可能なリールを複数個備え、前記絵柄を絵柄表示窓上で停止させ、前記リールの停止時における前記絵柄表示窓上の絵柄の組み合わせから入賞を定め、所定数のメダルまたは玉を払い戻す遊戯台であって、
　フリッカ表示ランプにドットマトリックスにより構成される表示部を備え、
　前記フリッカ表示ランプ上に、輝度を変化させて文字またはパターンを表示することを特徴とする遊戯台。」。
　
(1)刊行物の記載内容
　原査定に引用され本願出願前に頒布された実願平３−２２２９９号（実開平４−１１１３８６号）のマイクロフィルム（以下、「刊行物」という。）には、図面とともに、以下のことが記載されている。
「【０００１】【産業上の利用分野】この発明は、例えばスロットマシンのように、遊戯者の操作に応じて電子的な制御を行ってゲームを進行させる電子遊戯機に関する。」、
「【０００８】【実施例】図１はこの考案の一実施例にかかるスロットマシンの外観を示す。図示例のものは、周面に複数の図柄が描かれた３個のリール１ａ，１ｂ，１ｃを有し、機体２の前面に設けられたリール表示窓３より各リールの回転状態が確認できるようになっている。このリール表示窓３には複数の停止ライン４が設定されており、全リール停止時、有効化された停止ライン４上に並ぶ各リールの図柄の組み合わせによってゲームの勝敗が決せられる。
【０００９】
　前記機体２の前面には、案内表示器５，メダル投入口６，始動レバー７、３個の停止釦スイッチ８、メダル放出口９，メダル受皿１０などが配備される他、この考案の特徴をなす音声スイッチ１１，ゲーム案内スイッチ１２，二個のスピーカ１３，１４，ヘッドホン１５などが設けられている。
【００１０】
　前記案内表示器５はゲームに関する各種案内を文字などで表示する部分であり、多数の発光ダイオードを縦横整列配置して構成される。メダル投入口６はメダルの投入を受け付ける部分である。始動レバー７はレバー操作により３個のリール１ａ，１ｂ，１ｃを一斉始動させるためのもの、３個の停止釦スイッチ８は対応する各リール１ａ，１ｂ，１ｃを個々に停止させるためのもの、メダル放出口９は配当メダルをメダル受皿１０へ放出するためのものである。」、
「【００１５】
　前記グラフィックコントローラ２１は前記案内表示器５への描画処理を高速で実施するためのもので、ビデオメモリ３０から案内表示のための表示データを読み出し、表示回路２３を介して案内文などを案内表示器５に描画する。」、
「【００１８】
　図３は、前記制御部１６による制御手順を示すもので、以下、同図の手順に従って上記スロットマシンの動作を説明する。
　まず図３のステップ１，２において、ＣＰＵ１７は音声スイッチ１１の押操作とメダル投入口６へのメダル投入とに待機しており、それぞれの判定が「ＮＯ」であれば、ＣＰＵ１７はステップ３で案内表示器５にゲーム案内のメッセージを表示させる。
【００１９】
　このメッセージとしては、例えば「ゲームの開始するときはメダルを投入して下さい。ゲーム内容の詳しい説明が必要なときはヘッドホンを着用して音声スイッチとゲーム案内スイッチとを続けて押して下さい。また簡単な操作手順の説明が必要なときは音声スイッチを押し、続けてメダルを投入して下さい。」の如くに表示される。」。
　したがって、上記刊行物には、
「周面に複数の図柄が描かれた回転可能なリールを複数個備え、前記図柄をリール表示窓３上で停止させ、前記リールの停止時における前記リール表示窓３上の図柄の組み合わせから入賞を定め、所定数の配当メダルを払い戻す電子遊技機であって、多数の発光ダイオードを縦横整列配置される案内表示器５を備え、案内表示器５に文字を表示する電子遊技機。」の発明が記載されていると認められる。
　
(2)対比・判断
　本願発明と上記刊行物記載の発明とを対比すると、上記刊行物記載の発明の「図柄」、「周面」、「リール表示窓３」、「配当メダル」、「電子遊技機」、「縦横整列配置」、「案内表示器５」が、それぞれ、本願発明の「絵柄」、「おもて」、「絵柄表示窓」、「メダル」、「遊戯台」、「ドットマトリックス」、「表示部」に相当し、両者は、
「複数種類の絵柄がおもてに配置された回転可能なリールを複数個備え、前記絵柄を絵柄表示窓上で停止させ、前記リールの停止時における前記絵柄表示窓上の絵柄の組み合わせから入賞を定め、所定数のメダルまたは玉を払い戻す遊戯台であって、ドットマトリックスにより構成される表示部を備え、表示部に文字を表示する遊戯台。」である点で一致し、次の点で相違する。
（相違点）
　本願発明が「フリッカ表示ランプに表示部を備え、前記フリッカ表示ランプ上に、輝度を変化させて文字またはパターンを表示する」のに対して、上記刊行物記載の発明はこのような構成を備えてない点。
　
　上記相違点を検討すると、遊戯台またはその周辺において、ある表示手段にさらに別の表示手段を設けることは、周知であり（拒絶理由通知書に先行技術文献として挙げた特開平６−２９６７２６号公報、特開平６−２７７３３３号公報、特開平７−２９９２３９号公報、特開平８−１５５５１２１号公報等参照）、フリッカ表示手段は周知であり（特開昭６４−５５８１号公報（ＧＯフリッカー表示灯Ｌ６）及び特開昭６３−１６８１９４号公報（フリッカランプ２１０）等参照）、遊戯台において表示手段の輝度を変化させることも周知であり（特開平９−５１９８０号公報及び特開平９−１７３５４９号公報等参照）、これらのものは、本願発明と同様に、遊技機の本来的な目的である、演出をきめ細かいものとし、変化に富んだ演出を行うことを意図したことは明らかである。
　したがって、刊行物記載の発明において、表示部を、輝度を変化させて文字またはパターンを表示するものとし、さらに、フリッカ表示ランプを設けることは、当業者であれば容易になし得ることであり、その際に、「輝度を変化させて文字またはパターンを表示する表示部上に、フリッカ表示ランプを設ける」か、本願発明のように「フリッカ表示ランプ上に、輝度を変化させて文字またはパターンを表示する表示部を設ける」かは、当業者が必要に応じてなし得る単なる設計変更にすぎない。
　
　そして、本願発明のように構成したことによる格別の作用効果も認められないから、本願発明は、上記刊行物記載の発明及び周知技術に基いて当業者が容易に発明をすることができたものである。
　
(3)むすび
　以上のとおり、本願発明は、上記刊行物記載の発明及び周知技術に基いて当業者が容易に発明をすることができたものであり、特許法第２９条第２項の規定により特許を受けることができないから、本願の他の請求項に係る発明を検討するまでもなく、本願は拒絶をすべきものである。
　よって、結論のとおり審決する。